(57)【要約】【課題】太陽電池素子に外部光を十分に照射でき、且つ指針などの表示部材全体を明るく照明できる。【解決手段】指針１４の下側に配置された透明な文字板６の下面に微細な凹凸部２３を形成し、この文字板６の下側に太陽電池素子７を配置すると共に、この文字板６の側部に発光素子９を配置した。従って、明るい所で外部光が文字板６を透過するので、太陽電池素子７に外部光を十分に照射させることができ、これにより太陽電池素子７を良好に発電させることができ、この太陽電池素子７で発電された電気によって所望するときに自由に発光素子９を発光させることができる。また、発光素子９で発光した光が文字板６の内部に導かれながら文字板６の微細な凹凸部２３で拡散、反射されて文字板６の上面から出射されるので、文字板６を面発光させることができ、これにより暗い所でも文字板６および指針１４の全体を明るく照明することができる。【選択図】　　　　図１
2004053380.tif 000002
【特許請求の範囲】
【請求項１】
表示部材と、
この表示部材の裏面側に配置され、表裏面の少なくとも一方に微細な凹凸部が形成された光透過性部材と、
この光透過性部材の裏面側に配置された太陽電池素子と、
前記光透過性部材の側部に配置され、前記光透過性部材の前記側部からその内部に向けて光を照射する発光素子と
を備えたことを特徴とする電子機器。
【請求項２】
前記光透過性部材の前記凹凸部は、その形成密度が前記発光素子の近傍から離れるに従って次第に高くなように形成されていることを特徴とする請求項１に記載の電子機器。
【請求項３】
前記発光素子は、紫外線領域の光を発光する紫外線発光素子であり、前記光透過性部材の表裏面のうち、少なくとも表面には、紫外線領域の光に反応して可視光線領域の光を発光する透明な発光層が設けられていることを特徴とする請求項１または２に記載の電子機器。
【請求項４】
前記光透過性部材は時計の文字板であり、前記表示部材は前記文字板の表面側を運針する指針であることを特徴とする請求項１〜３のいずれかに記載の電子機器。
【請求項５】
前記表示部材は情報を電気光学的に表示する液晶表示素子であることを特徴とする請求項１〜３のいずれかに記載の電子機器。
【発明の詳細な説明】
【０００１】
【発明の属する技術分野】
この発明は、太陽電池素子を備えた電子機器に関する。
【０００２】
【従来の技術】
例えば、太陽電池素子を備えた腕時計においては、腕時計ケース内に配置された太陽電池に外部光を照射させるために、文字板を透明な材料で形成し、この文字板の下側に太陽電池素子を配置した構造のものがある。
このような腕時計では、暗い所でも時刻を知ることができるように、文字板や指針などの時計部品に夜光塗料や蓄光塗料などの発光性塗料を印刷などにより部分的に塗布して発光部を設けることにより、明るい所で太陽電池素子に照射される外部光をできるだけ遮らずに発光部に照射させ、この外部光によって発光部にエネルギを蓄え、暗い所で発光部が蓄えたエネルギにより発光するようにしたものがある。
【０００３】
【発明が解決しようとする課題】
しかしながら、このような腕時計では、発光部が発光性塗料を印刷などにより部分的に塗布した構造であるから、暗い所で発光部が発光する発光時間に限界があり、使用者が所望するときに発光部が発光していないことがあるという問題があるほか、発光性塗料を部分的に塗布した構造の発光部による発光であるから、指針や文字板を十分に明るく照明することができず、視認性に欠けるなどの問題もある。
【０００４】
また、このような問題を解消するため、従来では、文字板の側部上方に位置する腕時計ケースの内面に発光ダイオードなどの発光素子を設け、この発光素子を所望するときに自由に発光させることにより、文字板および指針を照明するように構成したものもあるが、このような構成のものでは、発光素子の近傍に位置する文字板および指針を部分的に照明するだけで、文字板および指針の全体を明るく照明することができないという問題がある。
なお、文字板および指針の全体を明るく照明する発光素子として、ＥＬ素子（エレクトロルミネッセンス素子）があるが、このＥＬ素子を用いると、外部光が遮られてしまうため、太陽電池素子に外部光を十分に照射させることができないという問題がある。
【０００５】
この発明の課題は、太陽電池素子に外部光を十分に照射させることができると共に、指針などの表示部材全体を明るく照明できるようにすることである。
【０００６】
【課題を解決するための手段】
請求項１に記載の発明は、表示部材と、この表示部材の裏面側に配置され、表裏面の少なくとも一方に微細な凹凸部が形成された光透過性部材と、この光透過性部材の裏面側に配置された太陽電池素子と、前記光透過性部材の側部に配置され、前記光透過性部材の前記側部からその内部に向けて光を照射する発光素子とを備えたことを特徴とする電子機器である。
【０００７】
この発明によれば、明るい所で外部光が表示部材を介して光透過性部材に照射されると、この照射された光が光透過性部材を透過するので、太陽電池素子に外部光を十分に照射させることができ、これにより太陽電池素子を良好に発電させることができると共に、この太陽電池素子で発電された電気によって所望するときに自由に発光素子を発光させることができる。また、暗い所で発光素子を発光させると、その光が光透過性部材の側部からその内部に向けて照射され、この照射された光が光透過性部材の内部を導かれるときに、その光が光透過性部材の微細な凹凸部で拡散、反射されて光透過性部材の表面から出射されることにより、光透過性部材を面発光させることができ、これにより暗い所でも表示部材全体を明るく照明することができる。
【０００８】
請求項２に記載の発明は、前記光透過性部材の前記凹凸部を、その形成密度が前記発光素子の近傍から離れるに従って次第に高くなように形成したことを特徴とする請求項１に記載の電子機器である。
この発明によれば、発光素子で発光した光が光透過性部材の内部に導かれながら微細な凹凸部で拡散、反射される際に、発光素子の近傍における光透過性部材では発光素子からの光の照射量が多いが、凹凸部の形成密度が低いので、凹凸部による光の拡散、反射が少なく、また発光素子から離れるに従って次第に光透過性部材の内部に導かれる光の照射量が次第に減少するが、凹凸部の形成密度が次第に高くなるので、凹凸部による光の拡散、反射が次第に多くなり、これにより光透過性部材の表面全域から出射される光量をほぼ均一にすることができる。
【０００９】
請求項３に記載の発明は、前記発光素子が紫外線領域の光を発光する紫外線発光素子であり、前記光透過性部材の表裏面のうち、少なくとも表面に、紫外線領域の光に反応して可視光線領域の光を発光する透明な発光層が設けられていることを特徴とする請求項１または２に記載の電子機器である。
この発明によれば、紫外線領域の光が当らない室内などの明るい所で外部光が表示部材を介して光透過性部材の発光層に照射されると、この照射された外部光が発光層および光透過性部材を透過するので、請求項１に記載の発明と同様、太陽電池素子に外部光を十分に照射させることができ、これにより太陽電池素子を良好に発電させることができる。また、発電された電気により紫外線発光素子を発光させると、人間の目に見えない紫外線領域の光が光透過性部材の内部に導かれながら光透過性部材の凹凸部で拡散、反射されて光透過性部材の表面の発光層に照射されるので、この発光層が照射された紫外線領域の光に反応して人間の目に見える可視光線領域の光を発光し、これにより発光層を可視光線領域の光で面発光させることができ、このため暗い所でも表示部材全体を明るく照明することができる。
【００１０】
請求項４に記載の発明は、前記光透過性部材が時計の文字板であり、前記表示部材が前記文字板の表面側を運針する指針であることを特徴とする請求項１〜３のいずれかに記載の電子機器である。
この発明によれば、明るい所で外部光が表示部材の指針および光透過性部材の文字板に照射されるので、時刻を知ることができると共に、外部光のほとんどが光透過性部材である文字板を透過するので、太陽電池素子に外部光を十分に照射させることができ、これにより太陽電池素子を良好に発電させることができる。また、太陽電池素子によって発電された電気により発光素子を発光させると、この発光した光が光透過性部材である文字板の内部に導かれながら文字板の微細な凹凸部で拡散、反射されて文字板の表面から出射されるので、文字板全体を面発光させることができ、これにより指針を明るく照明することができ、暗い所でも時刻を知ることができる。
【００１１】
請求項５に記載の発明は、前記表示部材が情報を電気光学的に表示する液晶表示素子であることを特徴とする請求項１〜３のいずれかに記載の電子機器である。
この発明によれば、明るい所で外部光が表示部材である液晶表示素子に照射されると、この液晶表示素子を透過して光透過性部材に照射され、この照射された外部光が光透過性部材を透過するので、請求項１に記載の発明と同様、太陽電池素子に外部光を十分に照射させることができ、これにより太陽電池素子を発電させることができると共に、液晶表示素子に表示された情報を見ることができる。また、太陽電池素子によって発電された電気により発光素子を発光させると、その光が光透過性部材の内部に導かれて微細な凹凸部で拡散、反射されるので、光透過性部材を面発光させることができ、これにより表示部材である液晶表示素子の裏面全体を明るく照明することができ、暗い所でも液晶表示素子に表示された情報を良好に視認することができる。
【００１２】
【発明の実施の形態】
［第１実施形態］
以下、図１〜図４を参照して、この発明を腕時計に適用した第１実施形態について説明する。
図１はこの発明の腕時計の要部を示した拡大断面図である。この腕時計は、腕時計ケース１を備えている。この腕時計ケース１の上部には、時計ガラス２が装着されており、腕時計ケース１の内部には、時計モジュール３が収納されている。また、この腕時計ケース１の下部には、裏蓋４が取り付けられている。
【００１３】
時計モジュール３は、アナログ機能とデジタル機能のうち、少なくともアナログ機能を備えたものである。すなわち、この時計モジュール３は、ハウジング５を備えており、このハウジング５の上面には、光透過性部材である文字板６が配置されている。この文字板６の下面には、光が照射されると電気を発生する太陽電池素子７が配置されており、文字板６の上面にける外周部分には、時字８が等間隔で設けられている。また、この文字板６の外周部分における互いに対向する２か所、例えば図３に示すような３時と９時とに位置する個所には、後述する発光素子９が挿入する素子挿入孔１０がそれぞれ設けられている。
【００１４】
また、ハウジング５の内部には、アナログムーブメント１１が設けられている。このアナログムーブメント１１は、指針軸１２が文字板６および太陽電池素子７の両者の中心部分に連続して設けられた貫通孔１３に下側から挿入して文字板６の上方に突出し、この突出した指針軸１２の上部に時針、分針、秒針などの指針１４が取り付けられ、これら指針１４が文字板６の上方を運針するように構成されている。さらに、ハウジング５の下面には、回路基板１５が配置されている。この回路基板１５には、アナログムーブメント１１の動作制御、太陽電池素子７で発電された電気の充電制御、発光素子９の発光制御などを行うＬＳＩ、および太陽電池素子７で発電した電力を蓄える２次電池（いずれも図示せず）などの各種の電子部品が搭載されている。
【００１５】
ところで、発光素子９は、図２（ａ）および図２（ｂ）に示すように、可視光線領域の光を発光する発光ダイオード（ＬＥＤ）などの発光体１６を素子基板１７上に搭載して透明なモールド樹脂１８で封止した構造になっている。この場合、発光体１６は、大きさの小さいチップ形状、例えば１辺が２ｍｍ程度のほぼ立方体形状に形成されており、その上下面には、チップ電極１６ａ、１６ｂがそれぞれ設けられている。素子基板１７には、一対の接続電極１７ａ、１７ｂが素子基板１７の上面から側面を経て下面に亘って設けられている。そして、素子基板１７の上面に位置する一方の接続電極１７ａには、発光体１６の下面側のチップ電極１６ａが半田や導電性接着剤などで電気的に接続されており、他方の接続電極１７ｂには、ワイヤーボンディングによる金属細線１９によって発光体１６の上面側のチップ電極１６ｂが電気的に接続されている。モールド樹脂１８は、透明な樹脂からなり、素子基板１７上に発光体１６および金属細線１９を覆った状態で円柱状に形成されている。
【００１６】
この発光素子９は、図１に示すように、円柱状のモールド樹脂１８が文字板６の素子挿入孔１０内に下側から挿入され、この状態でハウジング５に設けられた接続用の貫通孔２０内に配置された一対のコイルばね２０ａ、２０ｂ（図２（ｂ）参照）によって、素子基板１７の一対の接続電極１７ａ、１７ｂと回路基板１５の各電極端子（図示せず）とが電気的に接続されている。これにより、発光素子９は、腕時計ケース１に設けられた押釦スイッチ（図示せず）の操作に応じて回路基板１５の２次電池から発光体１６に電力が供給されて発光体１６が発光し、この発光した光が円柱状のモールド樹脂１８を透過して外部に放射されるように構成されている。なお、太陽電池素子７も、図示しないコイルばねなどの接続部材によって回路基板１５と電気的に接続され、これにより発電した電力を回路基板１５に搭載された２次電池に供給するように構成されている。
【００１７】
一方、文字板６は、図３および図４に示すように、透明な樹脂で円板状に形成され、図１に示すように、発光素子９で発光した光を文字板６の素子挿入孔１０の内面から文字板６の内部に採り込み、この採り込んだ光を互いに対向する発光素子９側に向けて導くように構成されている。この場合、文字板６の素子挿入孔１０は、腕時計ケース１の内面に形成された見切り部２１の下面に対応しており、この見切り部２１の下面および文字板６の側面に対応する腕時計ケース１の内面には、反射シート２２が連続して設けられている。また、文字板６の下面には、図３および図４に示すように、微細な凹凸部２３が形成されている。
【００１８】
この微細な凹凸部２３は、文字板６内に入射して導かれる光を拡散、反射するためのものであり、その形成密度が発光素子９の近傍から離れるに従って次第に高くなように形成されている。すなわち、これら凹凸部２３は、図３に示すように、発光素子９が配置される３時側と９時側の形成密度が低く、１２時側と６時側とを結ぶ中心側に向かう従って形成密度が次第に高くなるように形成されている。なお、図３および図４では、凹凸部２３の形成密度が段階的に変化するように表現されているが、実際にはなだらかに変化するように形成されている。また、この文字板６は、その上面側から下面側に光が透過する光の透過率が微細な凹凸部２３によって若干低下するが、この透過率の低下を考慮しても８０％〜９０％程度の透過率を有するように形成されている。
【００１９】
このような腕時計によれば、明るい所で外部光が時計ガラス２を透過して腕時計ケース１の内部に入射するので、この入射した外部光によって指針１４と文字板６とを照明することができ、これにより通常の腕時計と同様、時刻を知ることができる。このときには、文字板６に照射された外部光が文字板６を透過するので、文字板６の下面に設けられた太陽電池素子７に外部光を確実に照射させることができ、これにより太陽電池素子７を発電させることができると共に、この太陽電池素子７で発電した電力を回路基板１５に搭載された２次電池（図示せず）に蓄えることができる。この場合、文字板６は、その下面に微細な凹凸部２３が形成されているため、外部光の透過率が微細な凹凸部２３によって若干低下するが、８０％〜９０％程度の外部光を透過させることができるので、太陽電池素子７に外部光を十分に照射させることができ、これにより太陽電池素子７を良好に発電させることができると共に、十分な電力を２次電池に蓄えることができる。
【００２０】
また、暗い所では、太陽電子素子７で発電した電力が２次電池に蓄えられているので、図示しない押釦スイッチを操作することにより、２次電池に蓄えられた電力により発光素子９を所望するときに自由に発光させることができる。この場合には、発光素子９の透明なモールド樹脂１７が文字板６の外周部分における３時と９時とに位置する２か所に設けられた素子挿入孔１０内にそれぞれ挿入されているので、発光素子９の発光体１６が発光すると、その光がモールド樹脂１７を透過して素子挿入孔１０の内面から文字板６の内部に入射する。
【００２１】
このときには、腕時計ケース１の内面および見切り部２１の下面に連続して設けられた反射シート２２によって発光素子９で発光した光が文字板６の外部に漏れないように反射されるので、発光素子９からの光を確実に且つ効率良く文字板６の内部に入射させることができる。
このように文字板６の内部に入射した光は、文字板６の側部側、つまり文字板６の３時と９時との両方に位置する各素子挿入孔１０から文字板６の中心側に向けて導かれると共に、文字板６の下面に形成された微細な凹凸部２３によって順次拡散、反射されて文字板６の上面から出射される。このため、文字板６が面発光し、文字板６および指針１４を明るく照明することができ、これにより暗い所でも良好に時刻を知ることができる。
【００２２】
この場合、文字板６の内部に導かれた光が微細な凹凸部２３で拡散、反射されるときには、文字板６の下面に形成された微細な凹凸部２３の形成密度が発光素子９の近傍から離れるに従って次第に高くなるので、発光素子９の近傍における文字板６では発光素子９からの光の照射量が多くても、凹凸部２３の形成密度が低いため、凹凸部２３による光の拡散、反射が少なく、また発光素子９から離れるに従って次第に文字板６の内部に導かれる光の照射量が次第に減少しても、凹凸部２３の形成密度が次第に高くなるため、凹凸部２３による光の拡散、反射が次第に多くなる。このため、文字板６の上面全域から出射される光量をほぼ均一にすることができ、これにより文字板６および指針１４を均一に照明することができる。
【００２３】
このように、この腕時計では、明るい所で外部光が時計ガラス２を透過して腕時計ケース１内に入射し、この入射した光が文字板６を透過するので、文字板６の下側に配置された太陽電池素子９に外部光を十分に照射させることができ、これにより太陽電池素子７を良好に発電させることができると共に、この太陽電池素子７で発電した電力を２次電池（図示せず）に蓄えることができ、このため乾電池などの電力が有限の電源を用いる必要がないので、電池交換が不要で、省資源化を図ることができると共に、環境対策上、好ましいものを得ることができる。
【００２４】
［第２実施形態］
次に、図５を参照して、この発明を腕時計に適用した第２実施形態について説明する。なお、図１〜図４に示された第１実施形態と同一部分には同一符号を付して説明する。
この腕時計は、発光素子として紫外線発光素子２５を用い、且つ文字板６の上面に紫外線領域の光に反応して可視光線領域の光を発光する透明な発光層２６を設けた構造になっており、これ以外は第１実施形態と同じ構造になっている。
【００２５】
すなわち、紫外線発光素子２５は、波長が３５０〜４００ｎｍ（ナノメートル：ナノは１０億分の１メートル）、好ましくは３５０〜３８０ｎｍの近紫外線（ＵＶ−Ａ）を発光するブラックライトと呼ばれる紫外線発光ダイオード（ＬＥＤ）などの発光体を備えた構造で、これ以外は第１実施形態の発光素子９と同じ構造になっている。また、発光層２６は、３５０〜４２０ｎｍまたは２５４〜３６５ｎｍの紫外線領域の波長の光に反応して可視光線領域の光を発光し、紫外線領域の光が照射されないときに透明な状態を呈するものであり、その発光色は、無色または白色であっても良く、また赤、青、緑（黄色）を基本とする有色であっても良い。この場合の色バリエーションは１０〜１３種類ある。なお、時計ガラス２の内面には、紫外線領域の光を反射する紫外線反射膜（図示せず）が設けられていることが望ましい。
【００２６】
このような腕時計よれば、紫外線領域の光が当らない室内などの明るい所で外部光が時計ガラス２を透過して腕時計ケース１の内部に入射し、この入射した外部光によって指針１４および文字板６が照明されるので、第１実施形態と同様、時刻を知ることができると共に、文字板６の上面に設けられた発光層２６が透明な状態を呈するので、文字板６に照射された外部光が発光層２６および文字板６を透過して太陽電池素子７に照射される。このため、第１実施形態と同様、太陽電池素子７を発電させることができ、この太陽電池素子７で発電した電力を回路基板１５の２次電池（図示せず）に蓄えることができる。この場合、時計ガラス２に紫外線反射膜が設けられていれば、屋外などの紫外線領域の光を含む外部光が時計ガラス２に照射されると、外部光に含まれている紫外線領域の光が紫外線反射膜で反射されて発光層２６に照射されることがないので、外部光を太陽電池素子７に十分に照射させることができ、これにより太陽電池素子７を良好に発電させることができる。
【００２７】
また、暗い所では、第１実施形態と同様、図示しない押釦スイッチを操作することにより、２次電池に蓄えられた電力により紫外線発光素子２５を所望するときに自由に発光させることができる。このときには、紫外線発光素子２５が人間の目に見えない紫外線領域の光を発光し、この発光した紫外線領域の光が、第１実施形態と同様、文字板６内に入射されて文字板６の微細な凹凸部２３で順次拡散、反射され、これにより文字板６の上面から出射されて文字板６の上面に設けられた発光層２６に照射される。このため、発光層２６が紫外線領域の光に反応して人間の目に見える可視光線領域の光を発光するので、この発光層２６全体を面発光させることができ、これにより暗い所でも文字板６および指針１４を明るく照明することができる。
【００２８】
この場合にも、文字板６の内部に導かれた紫外線領域の光が微細な凹凸部２３で順次拡散、反射されるときに、第１実施形態と同様、紫外線発光素子２５の近傍における文字板６では紫外線領域の光の照射量が多くても、凹凸部２３の形成密度が低いので、凹凸部２３による光の拡散、反射が少なく、また紫外線発光素子２５から離れるに従って次第に文字板６の内部に導かれる光の照射量が次第に減少しても、凹凸部２３の形成密度が次第に高くなるので、凹凸部２３による光の拡散、反射が次第に多くなる。このため、文字板６の上面に設けられた発光層２６に紫外線領域の光をほぼ均一に照射することができ、これにより発光層２６全体をほぼ均一に発光させることができるので、文字板６および指針１４を均一に照明することができる。
【００２９】
［第３実施形態］
次に、図６を参照して、この発明を腕時計に適用した第３実施形態について説明する。なお、図１〜図５に示された第１実施形態と同一部分には同一符号を付して説明する。
この腕時計は、表示部材として液晶表示素子３０を用い、この液晶表示素子３０の下側に文字板６に代えて光透過性部材３１を配置し、この光透過性部材３１の下側に太陽電池素子７を配置すると共に、光透過性部材３１の側部に発光素子９を配置した構造で、これ以外は第１実施形態とほぼ同じ構造になっている。すなわち、液晶表示素子３０は、上下一対の透明な電極基板間に液晶を封入し、各電極基板の外側面にそれぞれ偏光板を設け、一対の電極基板間に選択的に電圧を印加することにより、その電圧印加に応じて時刻などの情報を表示するように構成されている。この場合、液晶表示素子３０は、インターコネクタ（図示せず）によって回路基板１５と電気的に接続されている。
【００３０】
また、光透過性部材３１は、第１実施形態の文字板６と同じ構造になっている。すなわち、この光透過性部材３１は、透明な樹脂で円板状に形成され、その外周部分における３時と９時とに対応する個所に素子挿入孔３２が設けられ、この素子挿入孔３２に発光素子９がそれぞれ挿入されている。また、この光透過性部材３１の下面にも、第１実施形態と同様、微細な凹凸部３３が形成されている。この微細な凹凸部３３は、光透過性部材３１内に入射して導かれる光を拡散、反射するためのものであり、第１実施形態と同様、その形成密度が発光素子９の近傍から離れるに従って次第に高くなように形成されている。
【００３１】
このような腕時計によれば、明るい所で外部光が時計ガラス２を透過して腕時計ケース１の内部に入射すると、この入射した外部光が液晶表示素子３０を照明すると共に、この液晶表示素子３０を透過して光透過性部材３１に照射され、この照射された光が光透過性部材３１を透過するので、第１実施形態と同様、太陽電池素子７に外部光を十分に照射させることができ、これにより太陽電池素子７を良好に発電させることができると共に、この太陽電池素子７で発電した電力を回路基板１５に搭載された２次電池（図示せず）に蓄えることができる。このときには、太陽電池素子７で外部光が反射され、この反射された光が上記と逆の光路を経て時計ガラス２から腕時計ケース１の外部に出射されるので、液晶表示素子３０に表示された時刻などの情報を視認することができる。
【００３２】
また、暗い所では、第１実施形態と同様、図示しない押釦スイッチを操作することにより、２次電池に蓄えられた電力により発光素子９を所望するときに自由に発光させることができる。このときには、発光素子９で発光した光が、第１実施形態と同様、光透過性部材３１内に入射されて光透過性部材３１の微細な凹凸部３３で順次拡散、反射され、これにより光透過性部材３１の上面から出射されるので、光透過性部材３１全体が面発光し、この光透過性部材３１の面発光により液晶表示素子３０の下面側を明るく照明することができ、これにより暗い所でも液晶表示素子３０に表示された情報を見ることができる。
【００３３】
この場合にも、光透過性部材３１の内部に入射した光が微細な凹凸部３３で拡散、反射されるときに、第１実施形態と同様、発光素子９の近傍における光透過性部材３１では光の照射量が多くても、凹凸部３３の形成密度が低いので、凹凸部３３による光の拡散、反射が少なく、また発光素子９から離れるに従って次第に光透過性部材３１の内部に導かれる光の照射量が次第に減少しても、凹凸部３３の形成密度が次第に高くなるので、凹凸部３３による光の拡散、反射が次第に多くなる。このため、光透過性部材３１の上面全域から出射される光量をほぼ均一にすることができ、これにより液晶表示素子３０の下面全域を均一に照明することができる。
【００３４】
なお、上記第３実施形態では、発光素子として可視光線領域の光を発光する発光素子９を用いたが、これに限らず、例えば第２実施形態と同様、発光素子として紫外線発光素子２５を用いても良い。この場合には、光透過性部材３１の上面に、第２実施形態と同様、紫外線領域の光に反応して可視光線領域の光を発光する透明な発光層２６を設ければ良い。このような構造でも、室内などの明るい所で外部光が発光層２６を透過するので、太陽電池素子７に外部光を十分に照射させて良好に発電させることができ、また暗い所では紫外線発光素子２５を発光させ、その発光した紫外線領域の光を光透過性部材３１で導いて発光層２６に照射させることにより、第２実施形態と同様、発光層２６を可視光線領域の光で発光させることができ、これにより液晶表示素子３０を照明することができるので、暗い所でも液晶表示素子３０に表示された情報を見ることができる。
【００３５】
また、上記第２実施形態および上記第３実施形態の変形例では、文字板６または光透過性部材３１の上面に発光層２６を設けたが、これに限らず、文字板６または光透過性部材３１の下面にも発光層２６を設けても良い。
また、上記第１〜第３実施形態およびその変形例では、文字板６または光透過性部材３１の下面に微細な凹凸部２３、３３を形成したが、これに限らず、文字板６または光透過性部材３１の上面に微細な凹凸部２３、３３を形成しても良く、また文字板６または光透過性部材３１の上下両面に微細な凹凸部２３、３３を形成しても良い。このようにな構造でも、第１〜第３実施形態と同様の作用効果がある。
【００３６】
さらに、上記第１〜第３実施形態およびその変形例では、文字板６または光透過性部材３１の各側部における互いに対向する２か所、例えば３時と９時とに位置する個所に発光素子９または紫外線発光素子２５を設けたが、これに限らず、文字板６または光透過性部材３１の各側部の１か所に設けても良く、また３か所以上に設けても良い。
なおまた、上記第１〜第３実施形態およびその変形例では、腕時計に適用した場合について述べたが、これに限らず、トラベルウォッチや置き時計、あるいは掛け時計などの時計にも適用することができるほか、特に表示部材として液晶表示素子を用いた場合には、時計に限らず、携帯電話機などの電子機器にも広く適用することができる。
【００３７】
【発明の効果】
以上説明したように、この発明によれば、表示部材の裏面側に、表裏面の少なくとも一方に微細な凹凸部が形成された光透過性部材を配置し、この光透過性部材の裏面側に太陽電池素子を配置し、光透過性部材の側部に発光素子を配置したので、明るい所で外部光が表示部材を介して光透過性部材に照射されると、この光透過性部材を外部光が透過するため、太陽電池素子に外部光を十分に照射させることができ、これにより太陽電池素子を良好に発電させることができると共に、この太陽電池素子で発電された電気によって所望するときに自由に発光素子を発光させることができ、またこの発光素子で発光した光が光透過性部材の内部に導かれながら光透過性部材の微細な凹凸部で拡散、反射されて光透過性部材の表面から出射されるので、光透過性部材を面発光させることができ、これにより暗い所でも表示部材全体を明るく照明することができる。
【００３８】
この場合、光透過性部材の微細な凹凸部を、その形成密度が発光素子の近傍から離れるに従って次第に高くなるように形成することにより、発光素子で発光した光が光透過性部材の内部に導かれて凹凸部で拡散、反射される際に、発光素子の近傍における光透過性部材では発光素子からの光の照射量が多くても、凹凸部の形成密度が低いので、凹凸部による光の拡散、反射が少なく、また発光素子から離れるに従って次第に光透過性部材の内部に導かれる光の照射量が次第に減少しても、凹凸部の形成密度が次第に高くなるので、凹凸部による光の拡散、反射が次第に多くなり、これにより光透過性部材の表面全域から出射される光量をほぼ均一にすることができる。
【００３９】
また、発光素子が紫外線領域の光を発光する紫外線発光素子であり、光透過性部材の表裏面のうち、少なくとも表面に、紫外線領域の光に反応して可視光線領域の光を発光する透明な発光層が設けられていることにより、紫外線領域の光が存在しない室内などの明るい所で外部光が表示部材を介して透明な発光層および光透過性部材を透過するので、請求項１に記載の発明と同様、太陽電池素子に外部光を十分に照射させることができ、これにより太陽電池素子を良好に発電させることができ、また発電された電気により紫外線発光素子を発光させると、人間の目に見えない紫外線領域の光が光透過性部材の内部に導かれながら凹凸部で拡散、反射されて発光層に照射されるので、発光層が紫外線領域の光に反応して人間の目に見える可視光線領域の光を発光し、これにより発光層が面発光するので、暗い所でも表示部材全体を明るく照明することができる。
【図面の簡単な説明】
【図１】この発明を腕時計に適用した第１実施形態を示した要部の拡大断面図。
【図２】図１の発光素子を示し、（ａ）はその拡大平面図、（ｂ）は（ａ）のＡ−Ａ矢視における断面図。
【図３】図１の文字板の平面図。
【図４】図３のＢ−Ｂ矢視における断面図。
【図５】この発明を腕時計に適用した第２実施形態を示した要部の拡大断面図。
【図６】この発明を腕時計に適用した第３実施形態を示した要部の拡大断面図。
【符号の説明】
１　腕時計ケース
２　時計ガラス
３　時計モジュール
６　文字板
７　太陽電池素子
９　発光素子
１０、３２　素子挿入孔
１１　アナログムーブメント
１２　指針軸
１３　貫通孔
１４　指針
１５　回路基板
２３、３３　凹凸部
２５　紫外線発光素子
２６　発光層
３０　液晶表示素子
３１　光透過性部材
【図１】
2004053380.tif 000003
【図２】
2004053380.tif 000004
【図３】
2004053380.tif 000005
【図４】
2004053380.tif 000006
【図５】
2004053380.tif 000007
【図６】
2004053380.tif 000008